(57)【要約】 【課題】  嵩張らずコンパクトに梱包でき、取付け作業が簡易で、しかもパイプ棚板と取付本体との係合機構が目視し得ず、外観体裁の良いクロゼット用棚装置を提供する。【解決手段】  複数並列するパイプ２１の両端を薄板状の矩形固定板２２で止着したパイプ棚板２と、このパイプ棚板２の両端部を脱着可能に支承固定する左右一対の取付本体１、１とから成り、取付本体１は短冊状の底板部１１の後側辺に立ち上がる垂直板部１２と、前側辺の両端部に立ち上がる一部を切欠いた窓枠状パイプ固定部１３、１３と、底板部１１の中央下部に垂下するハンガーパイプ取付部１４とを備え、上記パイプ２１の端部が窓枠状パイプ固定部１３を挿通する状態で上記矩形固定板２２を上記垂直板部１２と窓枠状パイプ固定部１３との対向間に嵌め込み固定する一方、前記パイプ棚板２にはパイプ２１上を移動可能で取付本体１を脱着可能に被覆するカバー体２３を配備している。【選択図】          図１
2008289585.tif 000002
【特許請求の範囲】
【請求項１】
複数並列するパイプの両端を薄板状の矩形固定板で止着したパイプ棚板と、このパイプ棚板の両端部を脱着可能に支承固定する左右一対の取付本体とから成り、取付本体は短冊状の底板部の後側辺に立ち上がる垂直板部と、前側辺の両端部に立ち上がる一部を切欠いた窓枠状パイプ固定部と、底板部の中央下部に垂下するハンガーパイプ取付部とを備え、上記パイプの端部が窓枠状パイプ固定部を挿通する状態で上記矩形固定板を上記垂直板部と窓枠状パイプ固定部との対向間に嵌め込み固定する一方、前記パイプ棚板にはパイプ上を移動可能で取付本体を脱着可能に被覆するカバー体を配備したことを特徴とするクロゼット用棚装置。
【請求項２】
前記取付本体の底板部の中央上面に、パイプ棚板の矩形固定板がすべり移動するのを阻止する摩擦固定マットを配備したことを特徴とする請求項１記載のクロゼット用棚装置。
【請求項３】
前記カバー体の上覆い部の面内に、取付本体の窓枠状パイプ固定部の上端に係合することでカバー体を取付本体に固定する固定用下向き突子を配備したことを特徴とする請求項１記載のクロゼット用棚装置。
【請求項４】
前記取付本体の窓枠状パイプ固定部の立上り片の近傍下部に、パイプ端を支承しパイプ棚板の左右方向への移動の円滑性を確保する段差部を配備したことを特徴とする請求項１記載のクロゼット用棚装置。
【発明の詳細な説明】
【技術分野】
【０００１】
この発明は、衣類・食料・器物などを収納するクロゼットに備えるクロゼット用棚装置に関する。
【背景技術】
【０００２】
図５は、従来のクロゼット用棚装置を示す斜視図である。
このクロゼット用棚装置は、複数のパイプ４１ａを所定間隔開いて並列させたパイプ棚板４１と、例えば戸棚などの内壁面にビス固定される取付本体４３とから成る。
【０００３】
パイプ棚板４１は、複数のパイプ４１ａの両端部を止着する固定板４２と、固定板４２の下面から直角状に一体に連続するハンガーパイプ取付部４２ａと、パイプ４１ａ端に設けたナット４１ｂに螺合し、外方向へ突出するボルト４２ｂとを備える。
【０００４】
取付本体４３は、所定幅を有する矩形平板状の底板４３ａと、ビス孔４３ｄを開設した後側板４３ｂと、上開口のＵ字状切欠部４３ｅを設けた前側板４３ｃとからなる断面「コ」字状に折曲げ形成してある。
【０００５】
例えば戸棚への棚板のかけ渡しに際しては、戸棚の対向する両内壁面の上方に対し、取付本体４３をビス固定する。この状態で、パイプ棚板４１のボルト４２ｂを、対応するＵ字状切欠部４３ｅに嵌合させ、ボルト頭４２ｃを前側板４３ｃと後側板４３ｂとの間の溝空間（底板４３ａ幅）に対応位置させる。
【０００６】
ここで、取付本体４３の上方からボルト４２を工具で締め付けることで、パイプ棚板の長さを戸棚の内壁間幅長さに対応調整すると共に、パイプ棚板４１の取り付け状態を強化する。
【特許文献１】特開２００４−２４２７８９号公報
【発明の開示】
【発明が解決しようとする課題】
【０００７】
従来のクロゼット用棚装置では、例えば戸棚に装備する際には、パイプ棚板のボルトを取付本体のＵ字状切欠部に嵌合させるだけの簡易な作業で、棚を水平にかけ渡すことができる利点を有する。
【０００８】
反面、パイプ棚板の固定板には、直交状のハンガーパイプ取付部が一体に突設され、略「Ｔ字状」になっている。従って、ハンガーパイプ取付部が立ち上がる分、梱包寸法も大型化し、梱包作業、保管作業、搬送作業に不利があった。
【０００９】
更に、取付本体は上方が開口した「コ字状」に形成されているため、パイプ棚板の取り付け強度が弱い点、並びに開口の狭い溝内でボルト頭を工具で締め付ける作業は、戸棚天井面に近接する高い位置であるため困難であり、作業効率が悪い欠点があった。
【００１０】
また、取付本体とパイプ棚板との係合構造が露出しているため、例えば戸棚の前戸を開放すると、取り付け金具すなわち取付本体及びボルト・ナットが外観し得、意匠体裁が悪いなどの不利があった。
【００１１】
この発明は、以上のような課題を解消させ、コンパクトに梱包でき、且つ取付け作業が簡易で、しかもパイプ棚板と取付本体との係合機構が目視し得ず、外観体裁の良好なクロゼット用棚装置を提供することを目的とする。
【課題を解決するための手段】
【００１２】
この目的を達成させるために、この発明のクロゼット用棚装置では、次のような構成としている。
【００１３】
クロゼット用棚装置は、複数並列するパイプの両端を薄板状の矩形固定板で止着したパイプ棚板と、このパイプ棚板の両端部を脱着可能に支承固定する左右一対の取付本体とから成り、取付本体は短冊状の底板部の後側辺に立ち上がる垂直板部と、前側辺の両端部に立ち上がる一部を切欠いた窓枠状パイプ固定部と、底板部の中央下部に下方へ垂下するハンガーパイプ取付け部とを備え、上記パイプの端部が窓枠状パイプ固定部を挿通する状態で上記矩形固定板を上記垂直板部と窓枠状パイプ固定部との対向間に嵌め込み固定する一方、前記パイプ棚板にはパイプ上を移動可能で取付本体を脱着可能に被覆するカバー体を配備したことを特徴としている。
【発明の効果】
【００１４】
このような構成を有するクロゼット用棚装置では、パイプ棚板は略パイプ厚み程度の平板状に設定し、別体の取付本体にハンガーパイプ取付部を備えさせることとしたから、パイプ棚板上面に取付本体を寝かせた状態で重合することで、嵩低くコンパクトに梱包でき、製品の保管、搬送に便宜である。
【００１５】
また、単にパイプ棚板の矩形固定板を取付本体に嵌合させるだけで、パイプ棚板を平に掛け渡した状態を安全確実に固定し得るから、取付け位置が高所であっても、簡単且つ容易な作業で掛け渡しを実行し得る。
【００１６】
更に、パイプ棚板にはカバー体をスライド可能に配備したから，取付本体および取付本体とパイプとの係合状態、すなわち取付け機構を完全に覆い隠すことができ、外観体裁の優れたクロゼット用棚装置を提供し得るなど、発明目的を達成した優れた効果を有する。
【発明を実施するための最良の形態】
【００１７】
以下、図面に基づき本発明に係るクロゼット用棚装置の具体的な実施の形態を説明する。
【００１８】
図１は、クロゼット用棚装置の分解斜視図である。
【００１９】
クロゼット用棚装置は、物を載せ置くパイプ棚板２と、パイプ棚板２を平らにかけ渡す左右一対の取付本体１、１と、取付本体１のハンガーパイプ取付け部１４に取付けられるハンガーパイプ３とから成る。
【００２０】
パイプ棚板２は、所定間隔開いて並列された複数本のパイプ２１と、実施の形態では６本のパイプ２１の両端に止着され、並列状態を止着する薄板状の矩形固定板２２と、パイプ２１上を移動可能なカバー体２３とから成る。
【００２１】
上記カバー体２３は、垂直状の前覆い部２３ａと、前覆い部２３ａの上辺を折曲げ突設した水平状の上覆い部２３ｂと、前覆い部２３ａの下辺を折曲げ突設した水平状の下覆い部２３ｃと、各覆い部の両端に連続する端覆い部２３ｄとから成る後面開口のハコ状に形成してある。
【００２２】
このカバー体２３は前覆い部２３ａ面内に各パイプ２１が貫通する状態で取付けられ、パイプ２１上をスライド移動可能に配備されている。このカバー体２３は、固定板２２に近接させたとき、矩形固定板２２及び後述する取付本体１を囲う大きさのハコ体に設定してある。
【００２３】
更に、カバー体２３の上覆い部２３ｂの面内適所には、後述する取付本体１を脱着可能に覆ったカバー状態を固定する固定用下向き突子２３ｅが複数設けられている。
【００２４】
前記取付本体１は、矩形平板状の底板部１１と、底板部１１の後側辺から立ち上がる垂直板部１２と、底板部１１の前側辺の両端部から立上がる一部を切欠いた窓枠状パイプ固定部１３と、底板部１１の中央底面から一体連続状に垂下するハンガーパイプ取付部１４とから成る。
【００２５】
上記垂直板部１２の面内適所には、ビス孔１２ａが複数開設され、ビス打ち込みで取付本体（垂直板部１２）１が、例えば戸棚の左右内壁面に接面状に取付け固定される。
【００２６】
上記一部を切欠いた窓枠状パイプ固定部１３は、底板部１１の前側辺から立ち上がる短冊状の立上り片１３ａと、この立上り片１３から所定間隔開いて立ち上がる上部を水平片部１３ｃとしたＬ字状立上り片１３ｂとから成る。
【００２７】
この窓枠状パイプ固定部１３、すなわち立上り片１３ａと、Ｌ字状立上り片  １３ｂとで囲まれる空間をパイプ２１のスライド空間部１３ｄに設定すると共に、水平片部１３ｃの先端と立上り片１３ａとの間の離れ空間（すなわち窓枠の一部切欠き）をパイプ２１の嵌入切欠部１３ｅに設定してある。
【００２８】
更に、窓枠状パイプ固定部１３の窓枠の下辺は、立上り片１３ａ側、すなわち嵌入切欠部１３ｅ側を僅かに高くして段差部１３ｆに設定し、嵌入したパイプ２１が段差部１３ｆ上にあるとき、前記固定板２２下端が底板部１１上に貼着配備した摩擦固定マット（薄いマット状ゴム板）１１ａに当接しないように高さ設定がしてある。
【００２９】
前記ハンガーパイプ取付部１４、１４は、断面コ字状で背面側の下部には、下部背面板１４ｃが設けられてハコ形に形成してある。ハンガーパイプ取付部１４の前面にはハンガーパイプ３の端部を嵌着する取付穴１４ａ（鍵穴状取付穴１４ｂ）が設けてあると共に、取付穴１４ａに対応する下部背面板１４ｃにはビス孔１４ｄが開設してある。
【００３０】
上記ハンガーパイプ３は、両端部に化粧筒状のパイプ端３１、３２を配備している。一端側のパイプ端３１は、パイプ端内部に配備した圧縮バネ３２で外方へバネ付勢され伸縮可能である。この伸縮性パイプ端３１は、対応する円形の取付穴１４ａに嵌着することで、パイプ取付部１４、１４間に対応した長さ調整が可能である。
【００３１】
更に、他端側の固定パイプ端３１ａには、先端面内に直方体形状の係合突部３３を突設し、対応するハンガーパイプ取付部１４の鍵穴状取付穴１４ｂに対し嵌着して抜け止め、回り止め状に機能する。
【００３２】
このような構成を有するクロゼット用棚装置では、図１で示すように、取付本体１、１と、パイプ棚板２と、ハンガーパイプ３を分離した状態とし、且つハンガーパイプ３及び取付本体は１、１は寝かせた状態でパイプ２１上に載せ置くことで、嵩張らず安定した状態でコンパクトに梱包し得る。
【００３３】
例えば戸棚内に棚をかけ渡す際は、まず取付本体１、１を戸棚の内壁面（図示せず）にビス固着する。垂直板部１２には、予めビス孔１２ａ、１４ｄが開設してあり、取付け位置が高所であっても簡易に止着作業を実行できる。
【００３４】
図２は、取付本体１に対しパイプ棚板２を平にかけ渡す状態を示す要部斜視図である。取付本体１の垂直板部１２と窓枠状のパイプ固定部１３との間に、パイプ棚板２の矩形固定板２２を上方から嵌め入れる。
【００３５】
このとき、パイプ棚板２の手前側（及び奥側）から２本目のパイプ２１を手前側（及び奥側）のパイプ嵌入切欠部１３ｅに対応させ、スライド用空間部１３ｄに嵌めいれる。この状態において、パイプ２１が底板部１１より一段高い段差部１３ｆに当節し、矩形固定板２２の底面は底板部１１上の摩擦固定マット１１ａに接触していない。
【００３６】
したがって、段差部１３ｆ上でのパイプ２１の左右方向（パイプ長手方向）への動きの円滑性が確保されている。パイプ棚板２の左右方向への動きによって、底板部１１の幅（奥ゆき）分だけ戸棚の内壁間幅に対応調整し得る。
【００３７】
この後、パイプ棚板２、つまり矩形固定板２２を奥ゆき方向へ移動させると、パイプ２１が段差部１３ｆから離れスライド用空間部１３ｄを奥行き方向へ移動し、Ｌ字状立上り片１３ｂで囲まれた状態で停止する。ここにおいて、図４に示すように矩形固定板２２の下面は、摩擦固定マット１１ａ上に埋設状に位置し、左右方向、奥行き方向へのすべり移動が阻止され、適正位置が固定される。
【００３８】
図３で示すように、カバー体２３を取付本体１側へスライド移動させると、上覆い部２３ｂ、下覆い部２３ｃ、前覆い部２３ａ及び端覆い部２３ｄにより取付本体１はハンガーパイプ取付部１４を除き完全に覆い隠される。このとき、図１で示す下覆い部２３ｃの逃がし用切欠部２３ｆがハンガーパイプ取付け部１４に対し囲い状に対応する。
【００３９】
カバー体２３により取付本体１、固定板２２、及びパイプ２１端を覆い隠すカバー状態は、図４で示すようにカバー体２３の固定用下向突子２３ｅが対応する立上り片１３ａの上端、並びに対応する水平片部１３ｃの上端を乗り越えることで脱着可能に固定される。
【００４０】
尚、ハンガーパイプ３は、一端側の伸縮性パイプ端３１を対応する円形の取付穴１４ａに嵌着させ、他端側の固定パイプ端３１ａの係合突部３３を対応する鍵穴状取付穴１４ｂに嵌着させることで、長さ調整と回り止め、並びに抜け止め機能を発揮する。
【図面の簡単な説明】
【００４１】
【図１】実施の形態のクロゼット用棚装置を示す分解斜視図である。
【図２】パイプ棚板と取付本体との取付構造を示す要部斜視図である。
【図３】カバー体で取付本体を覆い隠す状態を示す要部斜視図である。
【図４】取付本体にパイプ棚板が固定され、カバー体で囲まれた状態を示す要部断面図である。
【図５】従来のクロゼット用棚装置を示す説明用斜視図である。
【符号の説明】
【００４２】
１      取付本体
２      パイプ棚板
３      ハンガーパイプ
１１    底板部
１２    垂直板部
１３    窓枠状パイプ固定部
１４    ハンガーパイプ取付部
１１ａ  摩擦固定マット    
２１    パイプ
２２    矩形固定板
２３    カバー体  
２３ｅ  固定用下向突子
３１    パイプ端
３１ａ  パイプ端
３２    圧縮バネ
３３    係合突部
【図１】
2008289585.tif 000003
【図２】
2008289585.tif 000004
【図３】
2008289585.tif 000005
【図４】
2008289585.tif 000006
【図５】
2008289585.tif 000007